(57)【要約】【課題】家庭の台所や業務用厨房などにおいて使用される同時給排式換気装置において、給気を掃除や乾燥などに利用できる装置を提供することを目的とする。【解決手段】室内空気吸込口１と室内空気排気口２と外気吸込口３と給気室４を有するフード５を備え、前記給気室４は蛇管接続口８と第二吹出口９とを有し、前記蛇管接続口８には蛇管１１を接続し、前記給気ファン７により外気を前記給気室４、前記蛇管接続口８、前記蛇管１１、前記第一吹出口１０を介して室内空間１２に給気する第一給気経路１４と、外気を前記給気室４、前記第二吹出口９を介して室内空間１２に給気する第二給気経路１６とを形成し、前記給気室４には第一給気経路１４と第二給気経路１６とを切り替える切替板１７を設け、蛇管１１は可撓性を有し、前記第一吹出口１０の開口面積が前記第二吹出口９の開口面積よりも小さいという構成をとる。【選択図】図１
2013156000.tif 000002
【特許請求の範囲】
【請求項１】
室内空気吸込口と室内空気排気口と外気吸込口と給気室を有するフード部と、排気ファンと給気ファンとを備え、前記給気室はパイプ接続口と第二吹出口とを有し、前記パイプ接続口には、第一吹出口を備えたパイプを接続し、前記給気ファンにより前記外気吸込口から吸い込んだ外気を前記給気室、前記パイプ接続口、前記パイプ、前記第一吹出口を介して室内に給気する第一給気経路と、前記給気ファンにより前記外気吸込口から吸い込んだ外気を前記給気室、前記第二吹出口を介して室内に給気する第二給気経路と、前記排気ファンにより前記室内空気吸込口から吸い込んだ室内の空気を前記室内空気排気口を介して室外へ排出する排気経路を形成し、前記給気室には第一給気経路と第二給気経路とを切り替える切替手段を設け、前記パイプは可撓性を有し、前記第一吹出口の開口面積が前記第二吹出口の開口面積よりも小さいことを特徴とする同時給排式換気装置。
【請求項２】
排気経路と、第一給気経路と第二給気経路からなる給気経路とが、伝熱性を有する仕切板を介して接する顕熱交換部をフード部に備える請求項１記載の同時給排式換気装置。
【請求項３】
前記パイプが伸縮することを特徴とする請求項１または２記載の同時給排式換気装置。
【請求項４】
給気経路にヒーターを内蔵することを特徴とする請求項１から３のいずれかに記載の同時給排式換気装置。
【発明の詳細な説明】
【技術分野】
【０００１】
本発明は、例えば家庭の台所や業務用厨房などの空間に浮遊する油を排気すると同時に、室外の空気を室内へ給気する換気装置に関するものである。
【背景技術】
【０００２】
近年住宅の高気密化に伴い、家庭の台所や業務用厨房などの換気システムには、油煙や臭いなどの汚染空気を浄化して排気するという機能のみならず、排気と同風量の給気を行なうことが求められている。
【０００３】
これらの要求・課題を解決するために、同時に給気と排気を行う換気装置が開発されてきた。従来、この種の換気装置は、屋内に設置されたフードに外気の吹出口を設けたものが知られている（例えば、特許文献１参照）。
【０００４】
以下、特許文献１に示す同時給排式換気装置について、図４を参照しながら説明する。
【０００５】
台所のガスレンジ等の上部に設けられたフード１０１に、排気ファン１０２と給気ファン１０３が配設されている。ガスレンジ１０４から上昇する排煙などを含む室内空気は、排気ファン１０２によりフィルタ１０５を介して、排気ダクト１０６を通過し、室外に排出される。また、屋外の新鮮な空気は、給気ファン１０３により、給気ダクト１０７を介して、背面給気経路１０８内及び前面給気経路１０９内に供給され、斜め吹出口１１０、下向き吹出口１１１、前向き吹出口１１２から供給される。
【先行技術文献】
【特許文献】
【０００６】
【特許文献１】特開平７−２６０２２７号公報
【発明の概要】
【発明が解決しようとする課題】
【０００７】
このような従来の換気装置においては、特許文献１に例示したように、吹出口が固定されているため、作業者が給気を利用する際に給気口を自由に移動することができず、乾燥や送風をしたいところに自在に送風することができなかったため、シンク周辺の水滴や塵などは布巾や手などで除去しなければならなかった。
【０００８】
そこで本発明は、上記従来の課題を解決するものであり、ガスレンジ等の上部に設置する台所用の換気装置であって、作業者が給気口の位置を自在に動かして給気を掃除や乾燥などに利用できる同時給排式換気装置を提供することを目的とする。
【課題を解決するための手段】
【０００９】
この目的を達成するために、本発明は、室内空気吸込口と室内空気排気口と外気吸込口と給気室を有するフード部と、排気ファンと給気ファンとを備え、前記給気室はパイプ接続口と第二吹出口とを有し、前記パイプ接続口には、第一吹出口を備えたパイプを接続し、前記給気ファンにより前記外気吸込口から吸い込んだ外気を前記給気室、前記パイプ接続口、前記パイプ、前記第一吹出口を介して室内に給気する第一給気経路と、前記給気ファンにより前記外気吸込口から吸い込んだ外気を前記給気室、前記第二吹出口を介して室内に給気する第二給気経路と、前記排気ファンにより前記室内空気吸込口から吸い込んだ室内の空気を前記室内空気排気口を介して室外へ排出する排気経路を形成し、前記給気室には第一給気経路と第二給気経路とを切り替える切替手段を設け、前記パイプは可撓性を有し、前記第一吹出口の開口面積が前記第二吹出口の開口面積よりも小さいことを特徴とする同時給排式換気装置であり、これにより所期の目的を達成するものである。
【発明の効果】
【００１０】
本発明によれば、室内空気吸込口と室内空気排気口と外気吸込口と給気室を有するフード部と、排気ファンと給気ファンとを備え、前記給気室はパイプ接続口と第二吹出口とを有し、前記パイプ接続口には、第一吹出口を備えたパイプを接続し、前記給気ファンにより前記外気吸込口から吸い込んだ外気を前記給気室、前記パイプ接続口、前記パイプ、前記第一吹出口を介して室内に給気する第一給気経路と、前記給気ファンにより前記外気吸込口から吸い込んだ外気を前記給気室、前記第二吹出口を介して室内に給気する第二給気経路と、前記排気ファンにより前記室内空気吸込口から吸い込んだ室内の空気を前記室内空気排気口を介して室外へ排出する排気経路を形成し、前記給気室には第一給気経路と第二給気経路とを切り替える切替手段を設け、前記パイプは可撓性を有し、前記第一吹出口の開口面積が前記第二吹出口の開口面積よりも小さいという構成にした。
【００１１】
この構成により、第一吹出口の開口面積が第二吹出口の開口面積よりも小さいことで、第一吹出口から給気する際は開口面積が小さいので、風速を速めることができるため、水滴やほこりなどをより簡単に移動させることができ、短時間で掃除することができるという効果を得ることができる。また、第二吹出口から給気する際は開口面積が大きいので、風速を遅くすることができ、ドラフト感を軽減でき、快適に過ごすことができる。
【００１２】
さらに、パイプが可撓性を持つので、作業者の望む場所に給気をむけることができ、吹き付けたいところに吹き付けることができ、利用用途が拡大する。特に送風したいところへ送風できる。移動した対象物を追ってさらに風を送れるため、より効率的に掃除することができる。以下、この可撓性を持つパイプを蛇管と記載する。
【００１３】
また、第一給気経路と第二給気経路を切り替えるダンパーを持つ構成にしたことにより、
第一給気経路へ風路を切り替えた際には、通過風量を増すことで第一吹出口の風速を上げることができる。それにより、風圧で物理的にゴミや水などを吹き飛ばすことができる。水滴やほこりなどをより簡単に移動させることができ、短時間で掃除することができる。また、第一給気経路を使用しない際には、吹出口の開口面積が大きい第二給気経路に切り替えることで、ドラフト感を軽減でき、快適に過ごすことができる。
【００１４】
また外気を供給する構成により、調理空間よりも絶対湿度が低い空気を吹出すことにより、乾燥した空気を送風することができるので、シンク上に吹き込むように設置して、給気を手などにあてて乾燥させることができる。また、乾燥した空気を第一給気経路から送風することで、調理場の菌や黴の発生を集中的に抑制したい場所へ集中して送風することができる。
【図面の簡単な説明】
【００１５】
【図１】本発明の実施の形態の同時給排式換気装置を示す断面図
【図２】図１における蛇管の斜視図
【図３】図１における熱交換素子の分解鳥瞰図
【図４】従来の同時給排式換気装置を示す概略断面図
【発明を実施するための形態】
【００１６】
本発明の請求項１記載の同時給排式換気装置は、室内空気吸込口と室内空気排気口と外気吸込口と給気室を有するフード部と、排気ファンと給気ファンとを備え、前記給気室はパイプ接続口と第二吹出口とを有し、前記パイプ接続口には、第一吹出口を備えたパイプを接続し、前記給気ファンにより前記外気吸込口から吸い込んだ外気を前記給気室、前記パイプ接続口、前記パイプ、前記第一吹出口を介して室内に給気する第一給気経路と、前記給気ファンにより前記外気吸込口から吸い込んだ外気を前記給気室、前記第二吹出口を介して室内に給気する第二給気経路と、前記排気ファンにより前記室内空気吸込口から吸い込んだ室内の空気を前記室内空気排気口を介して室外へ排出する排気経路を形成し、前記給気室には第一給気経路と第二給気経路とを切り替える切替手段を設け、前記パイプは可撓性を有し、前記第一吹出口の開口面積が前記第二吹出口の開口面積よりも小さい構成を有する。
【００１７】
この構成により、第一吹出口の開口面積が第二吹出口の開口面積よりも小さいことで、第一吹出口から給気する際は開口面積が小さいので、風速を速めることができるため、水滴やほこりなどをより簡単に移動させることができ、短時間で掃除することができるという効果を得ることができる。また、第二吹出口から給気する際は開口面積が大きいので、風速を遅くすることができ、ドラフト感を軽減でき、快適に過ごすことができる。
【００１８】
さらに、パイプが可撓性を持つので、作業者の望む場所に給気をむけることができ、吹き付けたいところに吹き付けることができ、利用用途が拡大する。特に送風したいところへ送風できる。移動した対象物を追ってさらに風を送れるため、より効率的に掃除することができる。
【００１９】
また、第一給気経路と第二給気経路を切り替えるダンパーを持つ構成にしたことにより、
第一給気経路へ風路を切り替えた際には、通過風量を増すことで第一吹出口の風速を上げることができる。それにより、風圧で物理的にゴミや水などを吹き飛ばすことができる。水滴やほこりなどをより簡単に移動させることができ、短時間で掃除することができる。また、第一給気経路を使用しない際には、吹出口の開口面積が大きい第二給気経路に切り替えることで、ドラフト感を軽減でき、快適に過ごすことができる。
【００２０】
また、外気を供給する構成により、調理空間よりも絶対湿度が低い空気を吹出すことにより、乾燥した空気を送風することができるので、シンク上に吹き込むように設置して、給気を手などにあてて乾燥させることができる。また、乾燥した空気を第一給気経路から送風することで、調理場の菌や黴発生を集中的に抑制したい場所へ集中して送風することができる。
【００２１】
また、排気経路と、第一給気経路と第二給気経路からなる給気経路とが、伝熱性を有する仕切板を介して接する顕熱交換部をフードに備えることを特徴とする構成としてもよい。
【００２２】
この構成により、顕熱交換ができ、給気の相対湿度を下げることができるため、乾燥に適し、送風する場所を乾燥させ、菌や黴などの繁殖を抑えることができる。
【００２３】
また、前記パイプが伸縮することを特徴とする構成としても良い。
【００２４】
この構成により、パイプが伸縮するので、第一吹出口を上下左右自在に動かすことができ、第一吹出口の送風範囲を上下方向に拡大することができる。また、送風により移動した対象物に追従させるように風を送ることもできる。
【００２５】
また、給気経路にヒーターを内蔵することを特徴とする構成としてもよい。
【００２６】
この構成により、給気の湿度を低下させることができ、給気した空気を当てた場所が乾くので、水周りなどを乾燥させることができ、菌や黴などの発生を抑制できる。
【００２７】
以下、本発明の実施の形態について図面を参照しながら説明する。
【００２８】
（実施の形態１）
図１に本発明の実施の形態の同時給排式換気装置の断面図を示す。また、図２は図１における蛇管の斜視図を示す。図３は図１における熱交換素子の分解鳥瞰図である。
【００２９】
図１に示すように、本実施の形態における同時給排式換気装置は、室内空気吸込口１と室内空気排気口２と外気吸込口３と給気室４を有するフード５と、排気ファン６と給気ファン７とを備えている。前記給気室４はパイプ接続口としての蛇管接続口８と第二吹出口９とを有し、前記蛇管接続口８には、第一吹出口１０を備えた蛇管１１を接続している。
【００３０】
蛇管は可撓性を持ち、伸縮できる。蛇管１１は利用者の手の届く位置に設置され、調理や洗浄作業などをするシンク１３周辺で使用される。蛇管１１を伸縮変形することにより、第一吹出口１０をシンク１３近傍に向けて送風する。
【００３１】
前記給気ファン７により前記外気吸込口３から吸い込んだ外気を前記給気室４、前記蛇管接続口８、前記蛇管１１、前記第一吹出口１０を介して室内空間１２に給気する第一給気経路１４を形成している。また、蛇管接続口８の給気流入口近傍にヒーター１５を設置している。また、前記給気ファン７により前記外気吸込口３から吸い込んだ外気を前記給気室４、前記第二吹出口９を介して室内空間１２に給気する第二給気経路１６を形成している。前記給気室４には第一給気経路１４と第二給気経路１６とを切り替えるダンパーとしての切替板１７を設けており、切替板１７は蝶番１８により軸支され、切替板１７が回動し、第一吹出口１０または第二吹出口９を封止することにより、給気経路を切り替える。本明細書では、第一給気経路１４および第二給気経路１６を合わせて、給気経路１９とする。
【００３２】
さらに、前記排気ファン６により前記室内空気吸込口１から吸い込んだ室内空間１２の空気を前記室内空気排気口２を介して室外へ排出する排気経路２０を形成している。また、室内空気吸込口１の開口近傍に不織布油取りフィルタ２１が付設されており、これにより排気に含まれる油などを除去する。
【００３３】
前記蛇管１１は可撓性を有している。また、前記第一吹出口１０の開口面積が前記第二吹出口９の開口面積よりも小さい構成となっている。
【００３４】
また、排気経路２０と第一給気経路１４または第二給気経路１６が伝熱性を有するアルミ製の仕切板２２を介して接する顕熱交換部としての熱交換素子２３を備える。ガスレンジ２４から調理によって発生した熱い空気は、室内空気吸込口１からフード５に排気ファン６により、吸い込まれる。吸い込まれた空気は、熱交換素子２３を通過した後に室内空気排気口２から排気される。また、外気吸込口３から給気ファン７により吸い込んだ外気は、熱交換素子２３を通過して給気室４を介して、第二吹出口９または蛇管接続口８と蛇管１１を介する第一吹出口１０より、室内空間１２に供給される。
【００３５】
また、図２に図１における蛇管１１の断面図を示す。図２の蛇管１１は、スプリングワイヤー２５の外周を防炎ビニールシート２６で形成されたダクトであり、内部は第一給気経路１４となっており、伸縮性と可撓性を持つ。
【００３６】
また、図３に図１における熱交換素子２３の分解鳥瞰図を示す。図３の熱交換素子２３は、アルミ製の仕切板２２を互い違いに複数層重ね合わせ、これらの各層間を交互に通るように給気経路１９および排気経路２０が、設置される構成をとる。この仕切板２２を介して温度が伝わり、給気経路１９と排気経路２０の空気が顕熱交換する。
【００３７】
これらの構成により、下記の効果が生じる。
【００３８】
第一吹出口１０の開口面積が第二吹出口９の開口面積よりも小さいことで、第一吹出口１０から給気する際は開口面積が小さいので、風速を速めることができるため、水滴やほこりなどをより簡単に移動させることができ、短時間で掃除することができるという効果を得ることができる。また、第二吹出口９から給気する際は開口面積が大きいので、風速を遅くすることができ、ドラフト感を軽減でき、快適に過ごすことができる。
【００３９】
さらに、蛇管１１が可撓性を持つので、利用者の望む場所に給気をむけることができ、吹き付けたいところに吹き付けることができ、利用用途が拡大する。特に送風したいところへ送風できる。移動した対象物を追ってさらに風を送れるため、より効率的に掃除することができる。
【００４０】
また、第一給気経路１４と第二給気経路１６を切り替える切替板１７を持つ構成にした。この構成により、第一給気経路１４へ風路を切り替えた際には、通過風量を増すことで第一吹出口１０の風速を上げることができる。それにより、風圧で物理的にゴミや水などを吹き飛ばすことができる。水滴やほこりなどをより簡単に移動させることができ、短時間で掃除することができる。また、第一給気経路１４を使用しない際には、吹出口の開口面積が大きい第二給気経路１６に切り替えることで、ドラフト感を軽減でき、快適に過ごすことができる。
【００４１】
また、外気を供給する構成により、調理などで蒸気が発生した室内空間１２よりも絶対湿度が低い空気を吹出すことができる。それにより、乾燥した空気を送風することができるので、シンク１３上に吹き込むように設置して、給気を手などにあてて乾燥させることができる。また、乾燥した空気を第一給気経路１４から送風することで、室内空間１２において、菌や黴発生を集中的に抑制したい場所へ集中して送風することができる。
【００４２】
また、排気経路２０と、第一給気経路１４と第二給気経路１６からなる給気経路１９とが、伝熱性を有する仕切板２２を介して接する熱交換素子２３をフード５に備えた。この構成により、顕熱交換ができるため、室内空間１２の給気の相対湿度を下げることができるため、乾燥に適し、送風する場所を乾燥させ、菌や黴などの繁殖を抑えることができる。また、室内空間１２の臭いなどを排出しながら、熱の回収ができ、より室内空気に近い状態の空気を供給し、給気による急激な温湿度変化を軽減することができる。例えば、冬場に調理時に発生した空気を利用して、室内空間１２を暖めることができる。また、図１のように不織布油取りフィルタ２１を設置することにより、顕熱交換部の汚れを防ぐことができるため、顕熱交換の性能をより長く維持することができる。
【００４３】
また、蛇管１１が伸縮する。この構成により、蛇管１１が可撓性を持ち、かつ伸縮するので、第一吹出口１０を上下左右自在に動かすことができ、第一吹出口１０の送風範囲を上下方向に拡大することができる。また、送風により移動した対象物に追従させるように風を送ることもできる。さらに、蛇管１１不使用時は、蛇管１１を収縮させてコンパクトにすることができ、室内空間１２における蛇管１１による圧迫感を低減することができる。
【００４４】
また、蛇管接続口８の給気流入口近傍にヒーター１５を設置した。この構成により、給気の湿度を低下させることができ、給気した空気を当てた場所が乾くので、水周りなどを乾燥させることができ、菌や黴などの発生を抑制できる。
【００４５】
なお、切替板１７は蝶番１８により軸支され、切替板１７が回動し、第一吹出口１０または第二吹出口９を封止することにより、給気経路を切り替えるという構成としたが、必ずしもこの構成とする必要は無く、スライド式やシャッター式などでも良い。また、蛇管１１の伸縮と連動して切り替えても良い。
【００４６】
また、蛇管１１は、スプリングワイヤー２５の外周を防炎ビニールシート２６で形成されたダクトとしたが、特にこの構成や材質に限定するものではない。例えばアルミなどの金属製で、手で曲げられ又その形状を保つようなダクトでも良い。形状を保つようなダクトを用いれば、手を離して送風し続けることができる。また、形状を維持できないパイプを使用する際には、固定する部材を付属しても良い。
【００４７】
また、第一吹出口１０をダクトの開口形状としたが、特に限定するものでない。例えば、より小さい開口のノズルを用いれば、より早い風速で吹き飛ばすことができる。あるいは、細長い開口のノズルにすれば、早い風速を維持しながら広い範囲を一度に風で掃くことができる。
【００４８】
また、シンク１３、ガスレンジ２４を示したが、これらが無くともその効果の差異は生じない。また、第二吹出口９はシンク１３側に吹出す構成であるが、必ずしも吹出し方向にシンクがある必要は無く、利用者が乾燥させたい部分に向けて設置するのが望ましい。
【００４９】
また、不織布油取りフィルタ２１を示したが、不織布という材質や油取りという用途を限定するものではなく、このようなフィルタは必ずしも設置する必要は無い。
【００５０】
また、アルミ製の仕切板２２を示したが、材質を限定するものではなく、耐熱性を持ち、熱交換ができるものであれば良い。乾燥により適した熱交換が行えるように、潜熱交換性の低いものを用いるのが望ましい。例えば、アルミ以外のステンレスなどの金属でも良いし、他にも耐熱性のあるメラミン樹脂などであっても良い。
【００５１】
なお、図３では、仕切板２２が４枚の構成としたが、仕切板２２は１枚以上あればよく、枚数を増やすことは、熱交換効率を高めるためより好適である。また、仕切板２２の材質としてアルミ製としたが、伝熱性を持ち、油や蒸気に強い材質で、給気と排気を分離できれば良い。例えば銅板やステンレス板、ＡＣＳ樹脂などの合成高分子化合物の樹脂板や、塩素化ポリエチレンを混合した合成ゴムなどでも良く、湿度を透過しにくいものであればより良い。また、仕切板２２の異なる材質が組み合わさったものでも良く、その効果に差異を生じない。本実施の形態では、直交流型の熱交換素子を例示したが、対向流型や平行流型等の静止型素子などでも良く、空気対空気の交換を行う熱交換素子であれば、どれを用いても良い。
【産業上の利用可能性】
【００５２】
本発明にかかる同時給排式換気装置は、同時給排式換気により発生した給気を利用者が自由自在に送風し、利用することを可能とするものであるので、例えば家庭の台所や業務用厨房などの水汚れや細かな調理かすなどが発生するような場所に設置される同時給排式換気装置等として有用である。
【符号の説明】
【００５３】
１      室内空気吸込口
２      室内空気排気口
３      外気吸込口
４      給気室
５      フード
６      排気ファン
７      給気ファン
８      蛇管接続口
９      第二吹出口
１０    第一吹出口
１１    蛇管
１２    室内空間
１３    シンク
１４    第一給気経路
１５    ヒーター
１６    第二給気経路
１７    切替板
１８    蝶番
１９    給気経路
２０    排気経路
２１    不織布油取りフィルタ
２２    仕切板
２３    熱交換素子
２４    ガスレンジ
２５    スプリングワイヤー
２６    防炎ビニールシート
１０１  フード
１０２  排気ファン
１０３  給気ファン
１０４  ガスレンジ
１０５  フィルタ
１０６  排気ダクト
１０７  給気ダクト
１０８  背面給気経路
１０９  前面給気経路
１１０  斜め吹出口
１１１  下向き吹出口
１１２  前向き吹出口
【図１】
2013156000.tif 000003
【図２】
2013156000.tif 000004
【図３】
2013156000.tif 000005
【図４】
2013156000.tif 000006